(57)【要約】      （修正有）【課題】介護者が被介護者を持ち上げる補助機能と、被介護者の転倒や衝撃による打撲や負傷からの保護機能とを併せ持った複合的機能を有する介護用衣類を提供すること。【解決手段】衣類の両側の腰部付近に取り付けられた把手と、衣類の要衝撃吸収箇所に装着された緩衝用パッドとを有しており、把手は衣類に取り付けられた補強帯に連結されている。【選択図】図１
2006144140.tif 000002
【特許請求の範囲】
【請求項１】
衣類の両側の腰部付近に取り付けられた把手と、該衣類の要衝撃吸収箇所に装着された緩衝用パッドとを有していることを特徴とする介護用衣類。
【請求項２】
前記把手は、衣類に取り付けられた補強帯に連結されていることを特徴とする請求項１に記載の介護用衣類。
【請求項３】
前記補強帯は、把手の取付部位を含む腰回りの腰部補強帯と、股間部を含む股下マチ補強帯と、把手取付部位付近の腰部補強帯から大腿付け根部を経て股下マチ補強帯に至る前面補強帯と、股下マチ補強帯から臀部下部を経て把手取付部位付近の腰部補強帯に至る後面補強帯とを有していることを特徴とする請求項２に記載の介護用衣類。
【請求項４】
前記腰部補強帯、股下マチ補強帯、前面補強帯及び後面補強帯は、非伸縮性素材からそれぞれの部位に対応する形状に分けて裁断され、各々衣類の該当部位に取り付けられていることを特徴とする請求項３に記載の介護用衣類。
【請求項５】
前記緩衝用パッドは、少なくとも衣類の両側の腰部を覆う部位に装着されていることを特徴とする請求項１〜４のいずれかに記載の介護用衣類。
【請求項６】
前記緩衝用パッドは、その肉厚を貫通する通気孔が設けられていることを特徴とする請求項１〜５のいずれかに記載の介護用衣類。
【請求項７】
前記緩衝用パッドは、衣類のポケットに出し入れ自在に収納されていることを特徴とする請求項１〜６のいずれかに記載の介護用衣類。
【請求項８】
前記緩衝用パッドは、ポケットへ差し込む方へ向けて先細りの形状に形成されていることを特徴とする請求項７に記載の介護用衣類。
【発明の詳細な説明】
【技術分野】
【０００１】
本発明は、介護用衣類に関するものである。
【背景技術】
【０００２】
高齢者や身体障害者等の被介護者が自立移動できない場合、介護者が抱えるなどの手段によってベッドから椅子へ、また車椅子や自動車へと載せ変え移動させることが必要になるが、このとき被介護者を持ち上げるための補助手段を衣類に装備させることが有効である。
また、被介護者は転倒あるいは家具や建物構造物等の障害物に衝突して打撲や負傷することがあるため、これらを防止する機能を衣類に装備させることが望ましい。
従来、前者の手段を装備させた衣類として、例えば、特許文献１が公知であり、また、後者の機能を装備させた衣類として、例えば、特許文献２が公知である。
【特許文献１】特開２００２−２４９９０６号公報
【特許文献２】特開２００３−３００４号公報
【発明の開示】
【発明が解決しようとする課題】
【０００３】
しかしながら、従来の衣類は、前記両方の機能のうちの一方を満たすのみであったため、十分ではなかった。
本発明は、上記事情に鑑みて開発されたものであって、介護者が被介護者を持ち上げる補助機能と、被介護者の転倒や衝撃による打撲や負傷からの保護機能とを併せ持った複合的機能を有する介護用衣類を提供することを目的としている。
【課題を解決するための手段】
【０００４】
前記目的を達成するために、本発明は次の手段を講じた。
即ち、本発明に係る介護用衣類は、衣類の両側の腰部付近に取り付けられた把手と、該衣類の要衝撃吸収箇所に装着された緩衝用パッドとを有していることを特徴としている。
このように衣類の両側の腰部付近に把手が設けられていることによって、介護者が両手で被介護者の重心付近を把持して被介護者を抱きかかえるように持ち上げて立ち上がらせることができ、被介護者を安定姿勢に保持して安全に移動させることができ、無駄な労力も削減し得て介護行為が容易となる。また、緩衝用パッドが衣類の要衝撃吸収箇所に装着されていることによって、被介護者の保護機能も十分図られるため、安全性がさらに向上する。
【０００５】
前記把手は、衣類に取り付けられた補強帯に連結されていることを特徴としている。これによって、被介護者を持ち上げるとき、衣類の破損が防止できる。
前記補強帯は、把手の取付部位を含む腰回りの腰部補強帯と、股間部を含む股下マチ補強帯と、把手取付部位付近の腰部補強帯から大腿付け根部を経て股下マチ補強帯に至る前面補強帯と、股下マチ補強帯から臀部下部を経て把手取付部位付近の腰部補強帯に至る後面補強帯とを有している。これによって、被介護者を持ち上げるとき、荷重を分散させて衣類の破損を防止しつつ被介護者の重心付近を被介護者の前後左右から安定姿勢で保持することができる。
【０００６】
前記腰部補強帯、股下マチ補強帯、前面補強帯及び後面補強帯は、非伸縮性素材からそれぞれの部位に対応する形状に分けて裁断され、各々衣類の該当部位に取り付けられている。これによって、被介護者を持ち上げる際、確実に保持でき、しかも、補強帯を構成する素材生地の無駄を無くし、素材の生地取り裁断を容易とし、さらに、衣類への取付加工も容易となる。
前記緩衝用パッドは、少なくとも衣類の両側の腰部を覆う部位に装着されている。これによって、被介護者を車椅子や自動車座席に載せ替えるときに被介護者の腰部の打撲や負傷を軽減することができる。
【０００７】
前記緩衝用パッドは、その肉厚を貫通する通気孔が設けられている。これによって、通気性が確保され、被介護者が蒸れによる不快感を感じることがなく、またそれによる弊害（蒸れを原因とする汗疹等の疾病）も防止できる。
前記緩衝用パッドは、衣類のポケットに出し入れ自在に収納されている。これによって、介護用衣類の洗濯時などに緩衝用パッドを取り外すことが可能であり、洗濯や乾燥などが容易に行える。また、緩衝用パッドの緩衝性能が低下したときやパッド自体が破損したときに、この緩衝用パッドを新品のものと交換するのが容易となる。
【０００８】
前記緩衝用パッドは、ポケットへ差し込む方へ向けて先細りの形状に形成されている。これによって、ポケットに対する緩衝用パッドの出し入れが容易となる。
【発明の効果】
【０００９】
本発明によれば、介護者が被介護者を持ち上げる補助機能と、被介護者の転倒や衝撃による打撲や負傷からの保護機能とを併せ持った複合的機能を有する介護用衣類を提供することができる。
【発明を実施するための最良の形態】
【００１０】
以下、本発明の実施の形態を、図面に基づき説明する。
図１乃至図９は、本発明に係る介護用衣類１の一実施形態を示している。なお、本実施形態の介護用類１はハーフパンツ（半ズボン）に適用したものとしてある。そのためこの介護用衣類１の身頃生地２は、腰回りから大腿上部にわたる範囲でその腹部側を覆う前身頃２ａと、これに対応して臀部側を覆う後身頃２ｂとを有したものとなっている。前身頃２ａの中央部には、この介護用衣類１を着用したり脱いだりするときのために開閉部３が設けられている。この開閉部３は、チャックやボタン、マジックファスナー（登録商標）などによって閉じた状態を保持できるようになっている。
【００１１】
この介護用衣類１では、身頃生地２の腰部に相当する位置付けで把手５が設けられている。この把手５は、布ベルト生地、皮革、人工皮革、デニム生地などの非伸縮性素材によって形成されている。プラスチックや金属を芯材として、そのまわりを柔軟なゴムや軟質樹脂でカバーするような構造としてもよい。
把手５は、身頃生地２の左右両側に振り分けられて２個一組で設けられ、それぞれの把手５は、この介護用衣服１を着用した被介護者に対し、その正面から介護者が両脇方へ手を差し入れたとき（図８及び図９参照）に、丁度、被介護者の前後方向中心位置（又は若干、後方でもよい）に相当するような位置付けとされている。
【００１２】
また各把手５は、手で掴む部分が架橋状態になるように両端部５ａ，５ｂが身頃生地２に固定されている。把手５の両端部５ａ，５ｂが身頃生地２に対して固定される部位は、腰回り方向に沿って一端部５ａが前で、他端部５ｂが後となるような配置である。すなわち、この把手５は、手で掴む架橋部分が水平方向に沿って設けられ、上下方向に貫通して手の差し入れ空間が形成されるようになっている。
身頃生地２において、腰回り部位には腰部補強帯１０が設けられている。この腰部補強帯１０は非伸縮性の生地により形成された帯状のもので、その長手方向に沿って幅方向両側が身頃生地２に縫着されることで固定されている。
【００１３】
この腰部補強帯１０は、左右の各把手５の前側端部５ａ及び後側端部５ｂが取り付けられる部位を通って腰回りの略全周を取り巻くように設けられている。またこの腰部補強帯１０は、腰骨の少し前ぐらいとなる位置で両端部を留めており、その背後側（後身頃２ｂ側）に設けられている。すなわち身頃生地２の正面（前身頃２ａの中央の開閉部３が設けられた部位）に腰部補強帯１０は設けられていない。
そして、腰部補強帯１０の両端部からはベルト１２，１３が接続されており、これら左右のベルト１２，１３がバックル１４を介して連結したり離反したりできるようになっている。このバックル１４の部分では、少なくとも一方のベルト（図例では符号１３側）に対して長さ調節ができるようになっている。
【００１４】
身頃生地２には、把手５の取付位置近傍から背面側（後身頃２ｂ側）へ延びる後面補強帯１５と、把手５の取付位置近傍から正面側（前身頃２ａ側）へ延びる前面補強帯１６とが設けられている。これら後面補強帯１５及び前面補強帯１６は、いずれも非伸縮性の生地により形成された帯状のもので、その長手方向に沿って幅方向両側が身頃生地２に縫着されることで固定されている。
後面補強帯１５は、把手５の長手方向中間部あたり（架橋部分の中央あたり）から臀部下部を経由して股間側へ至るように設けられている。これに対し、前面補強帯１６は、把手５における前側端部５ａから大腿の付け根部を経由し股間側へ至るように設けられている。
【００１５】
更に、身頃生地２には股間部を左右へ跨る状態で股下マチ補強帯１７が設けられている。この股下マチ補強帯１７も非伸縮性の生地により形成された帯状のもので、その長手方向に沿って幅方向両側が身頃生地２に縫着されることで固定されている。
そして、この股下マチ補強帯１７に対し、上記した後面補強帯１５の下端部や前面補強帯１６の下端部が連結されている。
このようなことから、この介護用衣類１は、把手５が設けられた腰部補強帯１０、後面補強帯１５、前面補強帯１６及び股下マチ補強帯１７が全体として連結され、これらで被介護者の腰回りから股間にかけた全体を籠形に取り囲むようなかたちを呈するものとなる。従って、把手５によって被介護者の体重を支えるものとして、十分な強度を持つものである。
【００１６】
身頃生地２には、更に、被介護者の腰部を覆う部位に緩衝用パッド２０が設けられている。この緩衝用パッド２０は、図６に示すように、長方形状や逆台形状をした板状のもので、例えば発泡性の樹脂（スチレン系やウレタン系、或いは硬めのスポンジ系や柔軟なゴムなどでもよい）によって形成されている。
またこの緩衝用パッド２０には、その肉厚を貫通する通気孔２１が設けられている。通気孔２１の形成数や配置、孔径などは特に限定されるものではないが、緩衝用パッド２０の板面全体に対し、適度に分散配置されることが望ましい。
【００１７】
このような緩衝用パッド２０を身頃生地２に対して設けるために、身頃生地２には、被介護者の腰部を覆う部位に収納用のポケット２３が設けられている。従ってこの緩衝用パッド２０は、この介護用衣類１の洗濯時や緩衝用パッド２０の交換時などの必要に応じて、いつでもポケット２３から出し入れできるものである。
なお、ポケット２３に対する緩衝用パッド２０の出し入れを容易にさせるために、この緩衝用パッド２０の外周面には面取り２４を施しておくのが好適であり、更に図６（Ｂ）に示した逆台形のように、ポケット２３へ差し込む方へ向けて先細りの形状（楕円形や円形、三角形、おむすび形なども含む）に形成することもできる。緩衝用パッド２０の外周部に面取り２４を施した場合、ポケット２３への出し入れで引っ掛かりが少なくなるため、緩衝用パッド２０が亀裂などの破損を生じ難いという利点もある。
【００１８】
本実施形態では、図４に示したように、身頃生地２の後身頃２ｂに相当する範囲で、腰部補強帯１０の内部にゴムテープを装入して被介護者の着用時にフィット感が得られるようにしてある。ただし、この構造は適宜取捨選択できるものである。
以上詳説したところから明らかなように、本発明に係る介護用衣類１を被介護者が着用していれば、図８及び図９に示すように、介護者は被介護者の両脇へ手を差し入れ、把手５を掴み、被介護者を起きあがらせることができるようになる。
この行為は、後面補強帯１５によって被介護者が後ろへ倒れるのを防止し、また前面補強帯１６によって被介護者が前のめりになるのを防止する効果が得られ、またこの前後面補強帯１６、１５及び股下マチ補強帯１７によって被介護者を臀部下から吊り上げるようにできるので、被介護者の重心付近を安定姿勢を保持して確実に支持することができるものである。すなわち、介護者の発揮する力が被介護者に対して有効に伝わることになって、無理・無駄がない動きとなるので、被介護者を起きあがらせて移動させる行動が円滑となり、そのための労力も軽減されたものとなる。
【００１９】
また、腰部補強帯１０、後面補強帯１５、前面補強帯１６、股下マチ補強帯１７により、身頃生地２に対する力の分散が図られるため、この介護用衣類１の破損が抑制されるという利点もある。
更に緩衝用パッド２０が具備されていることで、万が一、被介護者が腰を打ち付けるような事態が起こったとしても、被介護者の腰及びその周辺を保護できるため、安全性が一層向上するものである。
【実施例】
【００２０】
身頃生地２にはポリエステル１００％の生地を用いた。
腰部補強帯１０及び股下マチ補強帯１７には綿１００％の生地を用いた。
後面補強帯１５及び前面補強帯１６には、綿１００％で幅３５ｍｍのバイアステープを用いた。
ポケットにはポリエステル１００％の生地を用いた。
把手５は、綿１００％で幅３５ｍｍのバイアステープを用い、前後両端部５ａ，５ｂを除いた中間部（架橋部分）を筒縫いし、その筒内に綿ロープを封入してボリュウムをもたせるための芯材とさせた。
【００２１】
緩衝用パッド２０には、株式会社イノアックコーポレーションのＰＥライト「ＢＬ−１００＃１  白色」と称するもので、１７０ｍｍ×１４５ｍｍ（又は１８５ｍｍ×１４０ｍｍ）で厚さ１０ｍｍのものを用いた。材質はポリスチレン系熱可塑性エラストマーとされている。通気孔２１は内径１０ｍｍのものを計１３個形成させた。
なお、本出願人は、体重５０ｋｇ、皮下脂肪２０ｍｍの者が７０ｃｍの高さ位置から倒れた場合（衝撃荷重６４０ｋｇ）を想定して、上記緩衝用パッド２０の衝撃吸収力を測定した結果、４００〜５００ｋｇｆの衝撃吸収性能を発揮することが知見された。この値は、骨折予防に必要とされる３００ｋｇｆを越えるものであり、十分満足できる値である。
【００２２】
ところで、本発明は、上記実施形態に限定されるものではなく、実施の形態に応じて適宜変更可能である。
例えば、衣類形体についてハーフパンツに限定されるものではなく、長ズボンやパジャマズボンなどでもよく、また上衣と下衣との連結を確実強固に行えるような上下の組み合わせ衣類であれば、上位側に把手５を設けるようにしてもよい。その際、緩衝用パッド２０の取付位置は、要衝撃緩衝箇所とするものであって、腰部、臀部、膝、肘、肩等の箇所である。
【００２３】
また左右の把手５を別々の介護者によって掴み、被介護者を起きあがらせたり立ち上がらせたり、或いは歩行の補助をしたりするということも、勿論可能である。
なお、腰部補強帯１０、後面補強帯１５、前面補強帯１６及び股下マチ補強帯１７は、介護用衣類１の外側に縫着した場合を例示しているが、これらは介護用衣類１の内側に縫着してもよく、縫着の代わりに接着剤による接着や溶着でもよい。さらに、ポケット２３は、衣類１の内側に設けた場合を例示しているが、外側でも良い。
【図面の簡単な説明】
【００２４】
【図１】本発明に係る介護用衣類の一実施形態を正面側から示した斜視図である。
【図２】図１に対応してその背面側から示した斜視図である。
【図３】図１に対応する底面図である。
【図４】図１に対応する平面図である。
【図５】図１に対応する側面図である。
【図６】緩衝用パッドを示した正面図であって（Ａ）は長方形型であり（Ｂ）は逆台形型である。
【図７】緩衝用パッドを収納するポケットを示した斜視図である。
【図８】本発明に係る介護用衣類の使用例を示した斜視図である。
【図９】図８の要部拡大図である。
【符号の説明】
【００２５】
１  介護用衣類
２  身頃生地
５  把手
５ａ  把手の前側の端部
５ｂ  把手の後側の端部
１０  腰部補強帯
１５  後面補強帯
１６  前面補強帯
１７  股下マチ補強帯
２０  緩衝用パッド
２１  通気孔
２３  ポケット
【図１】
2006144140.tif 000003
【図２】
2006144140.tif 000004
【図３】
2006144140.tif 000005
【図４】
2006144140.tif 000006
【図５】
2006144140.tif 000007
【図６】
2006144140.tif 000008
【図７】
2006144140.tif 000009
【図８】
2006144140.tif 000010
【図９】
2006144140.tif 000011